Podtech/llm-jp-corpus-v4-ja_patent huggingface dataset:
【手続補正書】
【提出日】平成17年7月11日(2005.7.11)
【手続補正１】
【補正対象書類名】明細書
【補正対象項目名】請求項３
【補正方法】変更
【補正の内容】
【請求項３】
発酵処理槽と、加温空気源と、前記発酵処理槽の内部空間における上面に設置された吸引型の排気手段と、発酵処理槽の上部に設けられた発酵完了物取出口と、発酵処理槽の外部に設けられた生ゴミ投入ホッパと、前記生ゴミ投入ホッパ内に設けられた生ゴミ裁断手段と、前記生ゴミ裁断手段により裁断された生ゴミを前記発酵処理槽の内部における底面付近に導入する手段と、上下端が発酵処理槽の上下壁に回転自在に軸支された支持軸と、前記発酵処理槽の内部空間における底面付近において支持軸に固定された中空アームと、前記中空アームに取付けられた複数の加温空気噴出し口と、加温空気源からの加温空気を支持軸の中空部よりアームの内部空洞を経て空気噴出し口より噴出せしめる手段と、前記中空アームより上方において支持軸に軸線に沿って間隔をおいて固定された攪拌フィンと、中空支持軸の回転駆動手段とを備えたことを特徴とする生ゴミ処理装置。
【手続補正２】
【補正対象書類名】明細書
【補正対象項目名】請求項４
【補正方法】変更
【補正の内容】
【請求項４】
発酵処理槽と、加温空気源と、前記発酵処理槽の内部空間における上面に設置された吸引型の排気手段と、発酵処理槽の上部に設けられた発酵完了物取出口と、発酵処理槽の外部に設けられた生ゴミ投入ホッパと、前記生ゴミ投入ホッパ内に設けられた生ゴミ裁断手段と、前記生ゴミ裁断手段により裁断された生ゴミを前記発酵処理槽の内部における底面付近に導入する手段と、上下端が発酵処理槽の上下壁に回転自在に軸支された中空支持軸と、中空支持軸の回転駆動手段と、前記発酵処理槽の内部空間における底面付近において中空支持軸に固定された中空アームと、前記中空アームより上方において中空軸に軸線に沿って間隔をおいて固定された攪拌フィンと、中空アームに取付けられた複数の加温空気噴出し口と、前記中空支持軸に装着されるプラグと、中空支持軸の回転を許容しつつ加温空気源からの配管を中空支持軸の中空部に連結するジョイント手段とを備え、加温空気源からの空気はジョイント手段、中空支持軸の内部において前記プラグの下方に形成される空洞及び中空アームの内部空洞を介し空気噴出し口より噴出されることを特徴とする生ゴミ処理装置。
【手続補正３】
【補正対象書類名】明細書
【補正対象項目名】０００９
【補正方法】変更
【補正の内容】
【０００９】  請求項３に記載の発明によれば、発酵処理槽と、加温空気源と、前記発酵処理槽の内部空間における上面に設置された吸引型の排気手段と、発酵処理槽の上部に設けられた発酵完了物取出口と、発酵処理槽の外部に設けられた生ゴミ投入ホッパと、前記生ゴミ投入ホッパ内に設けられた生ゴミ裁断手段と、前記生ゴミ裁断手段により裁断された生ゴミを前記発酵処理槽の内部における底面付近に導入する手段と、上下端が発酵処理槽の上下壁に回転自在に軸支された支持軸と、前記発酵処理槽の内部空間における底面付近において支持軸に固定された中空アームと、前記中空アームに取付けられた複数の加温空気噴出し口と、加温空気源からの加温空気を支持軸の中空部よりアームの内部空洞を経て空気噴出し口より噴出せしめる手段と、前記中空アームより上方において支持軸に軸線に沿って間隔をおいて固定された攪拌フィンと、中空支持軸の回転駆動手段とを備えたことを特徴とする生ゴミ処理装置が提供される。
【手続補正４】
【補正対象書類名】明細書
【補正対象項目名】００１１
【補正方法】変更
【補正の内容】
【００１１】  請求項４に記載の発明によれば、発酵処理槽と、加温空気源と、前記発酵処理槽の内部空間における上面に設置された吸引型の排気手段と、発酵処理槽の上部に設けられた発酵完了物取出口と、発酵処理槽の外部に設けられた生ゴミ投入ホッパと、前記生ゴミ投入ホッパ内に設けられた生ゴミ裁断手段と、前記生ゴミ裁断手段により裁断された生ゴミを前記発酵処理槽の内部における底面付近に導入する手段と、上下端が発酵処理槽の上下壁に回転自在に軸支された中空支持軸と、中空支持軸の回転駆動手段と、前記発酵処理槽の内部空間における底面付近において中空支持軸に固定された中空アームと、前記中空アームより上方において中空軸に軸線に沿って間隔をおいて固定された攪拌フィンと、中空アームに取付けられた複数の加温空気噴出し口と、前記中空支持軸に装着されるプラグと、中空支持軸の回転を許容しつつ加温空気源からの配管を中空支持軸の中空部に連結するジョイント手段とを備え、加温空気源からの空気はジョイント手段、中空支持軸の内部において前記プラグの下方に形成される空洞及び中空アームの内部空洞を介し空気噴出し口より噴出されることを特徴とする生ゴミ処理装置が提供される。
【手続補正書】
【提出日】平成17年5月2日(2005.5.2)
【手続補正１】
【補正対象書類名】明細書
【補正対象項目名】００４４
【補正方法】変更
【補正の内容】
【００４４】
ローラ１７は、その外径ｄが２０ｍｍであり、長さＬが１５０ｍｍであって、ローラの中心間距離ＬＣを８０ｍｍとして図１及び図２に示すように、フィルム１１の両側端部の上面にのみ設置した。ローラ１７は、フィルム１１の内側向きの端部を外側向きの端部より少し上げて傾きをもたせた。ローラ１７の表面粗さはＲｙ指標で１．５μｍである。
【手続補正書】
【提出日】平成17年8月9日(2005.8.9)
【手続補正１】
【補正対象書類名】明細書
【補正対象項目名】特許請求の範囲
【補正方法】変更
【補正の内容】
【特許請求の範囲】
【請求項１】
３種類以上のインクを吐出可能な記録ノズル群と、
該記録ノズル群を記録媒体に対して相対的に移動させる駆動手段と、
入力画像の情報を３種以上の画像輝度信号として入力する画像輝度信号入力手段と、
該入力された画像輝度信号に関して各インクに対応した画像濃度信号に振り分ける濃淡振り分け手段と、
該濃淡振り分け手段振り分けられた各インクに対する画像濃度信号に基づいて３種類以上のインクを前記記録ノズル群から吐出させることで、前記記録媒体に画像を記録させる記録制御手段とを備え、
前記３種類以上のインクは、カラープリンタとして使用する場合のカラーインクセットの各カラーインクの明度構成と、モノトーンプリンタとして使用する場合のモノトーンインクセットの各モノトーンインクの濃度構成が一定の関係を有することを特徴とする画像記録装置。
【請求項２】
前記カラーインクセットのカラーインクの明度が高くなる順序に前記モノトーンインクセットのモノトーンインクの濃度を低くする順序にすることを特徴とする請求項１に記載の画像記録装置。
【請求項３】
前記モノトーンインクセットの濃度構成を前記カラーインクセットの明度構成と比例する構成とすることを特徴とする請求項１に記載の画像記録装置。
【請求項４】
前記３種類以上のインクは、カラープリンタとして使用する場合のカラーインクセットの各カラーインクの明度の比率と、モノトーンプリンタとして使用する場合のモノトーンインクセットの各モノトーンインクの濃度の比率が一定の関係を有することを特徴とする請求項１に記載の画像記録装置。
【請求項５】
前記濃淡振り分け手段では、前記入力画像がカラーの場合は、モノクロインクセットに対して、カラープリンターとして使用する場合の各インクに対応した画像濃度信号の振り分けを行うことを特徴とする請求項１に記載の画像記録装置。
【請求項６】
前記濃淡振り分け手段では、前記入力画像がカラーの場合はモノクロインクセットに対して、カラープリンターとしてカラーインクセットを使用する場合の各インクに対応した画像濃度信号の振り分けを行い、前記入力画像がモノクロの場合はモノクロープリンターとしてモノクロインクセットを使用する場合の各インクに対応した画像濃度信号の振り分けを行うことを特徴とする請求項１に記載の画像記録装置。
【請求項７】
前記インクセットはインクを入れたインクカートリッジとして着脱自在に構成されていることを特徴とする請求項１から６のいずれか一項に記載の画像記録装置。
【請求項８】
前記画像記録装置は、医療用画像の記録に用いことを特徴とする請求項１から７のいずれか一項に記載の画像記録装置。
【手続補正書】
【提出日】平成17年7月19日(2005.7.19)
【手続補正１】
【補正対象書類名】明細書
【補正対象項目名】特許請求の範囲
【補正方法】変更
【補正の内容】
【特許請求の範囲】
【請求項１】
印刷する画像の指定を受付ける画像指定手段と、
前記画像を印刷する際の質感の指定を受付ける質感指定手段と、
前記指定された質感で前記画像を印刷するために、印刷装置に対して印刷制御信号を出力する印刷出力手段とを備える、画像印刷装置。
【請求項２】
前記印刷する画像を表示する表示手段をさらに備え、
前記質感指定手段は、前記表示手段において、前記画像指定手段によって指定された画像を、質感を強調して提示する、請求項１に記載の画像印刷装置。
【請求項３】
前記質感指定手段は、質感の異なる画像を選択可能な状態で提示して前記質感の指定を受付ける、請求項１または２に記載の画像印刷装置。
【請求項４】
前記提示する質感の異なる画像は、前記印刷装置において印刷された実際の印刷画像である、請求項３に記載の画像印刷装置。
【請求項５】
前記印刷装置が熱転写を行なう印刷装置であるとき、前記印刷出力手段は、前記印刷装置における熱量情報を含む前記印刷制御信号を出力する、請求項１〜４のいずれかに記載の画像印刷装置。
【請求項６】
前記印刷装置は質感の異なる複数の印刷媒体を備え、
前記印刷出力手段は、前記印刷装置に対して、前記複数の印刷媒体のうち、前記指定された質感である印刷媒体に前記画像を印刷するための前記印刷制御信号を出力する、請求項１〜４のいずれかに記載の画像印刷装置。
【請求項７】
前記質感指定手段で指定された質感で前記印刷装置において前記画像が印刷された印刷媒体を被覆する被覆手段をさらに備える、請求項１〜６のいずれかに記載の画像印刷装置。
【請求項８】
前記印刷する画像のうち、前記質感指定手段によって指定された質感で印刷する領域の指定を受付ける領域指定手段をさらに備え、
前記印刷出力手段は、前記印刷装置に対して、前記指定された領域を前記指定された質感で印刷するための前記印刷制御信号を出力する、請求項１または２に記載の画像印刷装置。
【請求項９】
前記印刷装置が熱転写を行なう印刷装置であるとき、前記印刷出力手段は、前記印刷装置における熱量情報を含む前記印刷制御信号を出力する、請求項８に記載の画像印刷装置。
【請求項１０】
被写体を撮影する撮影手段をさらに備え、
前記画像指定手段は、前記撮影された画像の中から印刷する画像の指定を受付ける、請求項１〜１１のいずれかに記載の画像印刷装置。
【手続補正２】
【補正対象書類名】明細書
【補正対象項目名】０００８
【補正方法】変更
【補正の内容】
【０００８】
【課題を解決するための手段】
上記目的を達成するために、本発明のある局面に従うと、画像印刷装置は、印刷する画像の指定を受付ける画像指定手段と、画像を印刷する際の質感の指定を受付ける質感指定手段と、指定された質感で画像を印刷するために、印刷装置に対して印刷制御信号を出力する印刷出力手段とを備える。
さらに、画像印刷装置は、印刷する画像を表示する表示手段を備え、質感指定手段は、表示手段において、画像指定手段によって指定された画像を、質感を強調して提示することが望ましい。
【手続補正３】
【補正対象書類名】明細書
【補正対象項目名】０００９
【補正方法】変更
【補正の内容】
【０００９】
また、上述の印刷装置が熱転写を行なう印刷装置であるとき、印刷出力手段は、印刷装置における熱量情報を含む印刷制御信号を出力することが望ましい。
さらに、画像印刷装置は、質感指定手段で指定された質感で印刷装置において画像が印刷された印刷媒体を被覆する被覆手段を備えることが望ましい。
【手続補正４】
【補正対象書類名】明細書
【補正対象項目名】００１０
【補正方法】変更
【補正の内容】
【００１０】
また、画像印刷装置は、印刷する画像のうち、質感指定手段によって指定された質感で印刷する領域の指定を受付ける領域指定手段をさらに備え、印刷出力手段は、印刷装置に対して、指定された領域を指定された質感で印刷するための印刷制御信号を出力することが望ましい。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正書】
【提出日】平成17年3月30日(2005.3.30)
【手続補正１】
【補正対象書類名】明細書
【補正対象項目名】請求項１
【補正方法】変更
【補正の内容】
【請求項１】
データ記憶手段に記憶された複数のデータのうちユーザが選択したデータを処理するデータ処理装置であって、
ユーザが複数の処理操作の中から特定の処理操作を選択する際に使用する操作選択手段と、
処理操作と処理操作識別子とを各々対応付けて記憶する操作識別子記憶手段と、
前記操作選択手段によって選択された特定の処理操作に対応する処理操作識別子を前記操作識別子記憶手段から抽出する操作識別子抽出手段と、
前記操作識別子抽出手段によって抽出された処理操作識別子を表示する識別子表示部、前記データ記憶手段に記憶された各データの内容を表示するインデックス部、および前記データ記憶手段に記憶された複数のデータの中から前記特定の処理操作を実行したいデータをユーザが選択可能なデータ選択部を含むインデックスシートの印刷を印刷手段に実行させる印刷制御手段と、
前記インデックスシートに印刷された前記識別子表示部から前記処理操作識別子を認識すると共に前記データ選択部からユーザが選択したデータを認識する認識手段と、
前記認識手段によって認識された処理操作識別子に対応付けられた処理操作を前記識別子記憶手段から抽出し該処理操作を前記認識手段によって認識されたデータに実行する処理操作実行手段と
を備えたデータ処理装置。
【手続補正２】
【補正対象書類名】明細書
【補正対象項目名】請求項１２
【補正方法】変更
【補正の内容】
【請求項１２】
複数のデータを記憶するデータ記憶手段と、処理操作と処理操作識別子とを各々対応付けて記憶する操作識別子記憶手段とを備えたコンピュータが実行するデータ処理方法であって、
（ａ）ユーザが複数の処理操作の中から選択した特定の処理操作に対応する処理操作識別子を前記操作識別子記憶手段から抽出するステップと、
（ｂ）前記ステップ（ａ）で抽出された処理操作識別子を表示する識別子表示部、前記データ記憶手段に記憶された各データの内容を表示するインデックス部、および前記データ記憶手段に記憶された複数のデータの中から前記特定の処理操作を実行したいデータをユーザが選択可能なデータ選択部を含むインデックスシートを印刷手段に印刷させるステップと、
（ｃ）前記インデックスシートに印刷された前記識別子表示部から前記処理操作識別子を認識すると共に前記データ選択部からユーザが選択したデータを認識するステップと、
（ｄ）前記ステップ（ｃ）で認識された処理操作識別子に対応付けられた処理操作を前記識別子記憶手段から抽出し該処理操作を前記ステップ（ｃ）で認識されたデータに実行するステップと
を含むデータ処理方法。
【手続補正３】
【補正対象書類名】明細書
【補正対象項目名】０００７
【補正方法】変更
【補正の内容】
【０００７】
本発明の第１のデータ処理装置は、
複数のデータを記憶するデータ記憶手段と、
ユーザが複数の処理操作の中から特定の処理操作を選択する際に使用する操作選択手段と、
処理操作と処理操作識別子とを各々対応付けて記憶する操作識別子記憶手段と、
前記操作選択手段によって選択された特定の処理操作に対応する処理操作識別子を前記操作識別子記憶手段から抽出する操作識別子抽出手段と、
前記操作識別子抽出手段によって抽出された処理操作識別子を表す識別子表示部、前記データ記憶手段に記憶された各データの内容を表すインデックス部、および前記データ記憶手段に記憶された複数のデータの中から前記特定の処理操作を実行したいデータをユーザが選択可能なデータ選択部を含むインデックスシートの印刷を印刷手段に実行させる印刷制御手段と、
前記インデックスシートに印刷された前記処理操作識別子や前記データ選択部のうち選択されたデータを認識する認識手段と、
前記認識手段によって認識された処理操作識別子に対応付けられた処理操作を前記識別子記憶手段から抽出し該処理操作を前記認識手段によって認識されたデータに実行する処理操作実行手段と
を備えたものである。
【手続補正４】
【補正対象書類名】明細書
【補正対象項目名】０００８
【補正方法】変更
【補正の内容】
【０００８】
このデータ処理装置では、操作選択手段によってユーザに選択された特定の処理操作に対応する処理操作識別子を表示する識別子表示部、データ記憶手段に記憶された各データの内容を表示するインデックス部、およびデータ記憶手段に記憶された複数のデータの中から先ほどの特定の処理操作を実行したいデータをユーザが選択可能なデータ選択部を含むインデックスシートを印刷する。その後、データ処理装置は、データ選択部でユーザがデータを選択したあとのインデックスシートを認識し、識別子表示部の処理操作識別子に対応付けられた処理操作をデータ選択部で選択されたデータに実行する。このように、ここで用いるインデックスシートは、ある特定の処理操作を実行するための専用シートであるため、このシート上でユーザがデータごとに処理操作を特定する必要がない。したがって、シート上でユーザがデータごとに処理操作を特定する場合に比べて、誤った処理操作を特定してしまうおそれが小さい。
【手続補正５】
【補正対象書類名】明細書
【補正対象項目名】００１７
【補正方法】変更
【補正の内容】
【００１７】
本発明の第２は、複数のデータを記憶するデータ記憶手段と、処理操作と処理操作識別子とを各々対応付けて記憶する操作識別子記憶手段とを備えたコンピュータが実行するデータ処理方法であって、
（ａ）ユーザが複数の処理操作の中から選択した特定の処理操作に対応する処理操作識別子を前記操作識別子記憶手段から抽出するステップと、
（ｂ）前記ステップ（ａ）で抽出された処理操作識別子を表示する識別子表示部、前記データ記憶手段に記憶された各データの内容を表示するインデックス部、および前記データ記憶手段に記憶された複数のデータの中から前記特定の処理操作を実行したいデータをユーザが選択可能なデータ選択部を含むインデックスシートを印刷手段に印刷させるステップと、
（ｃ）前記インデックスシートに印刷された前記識別子表示部から前記処理操作識別子を認識すると共に前記データ選択部からユーザが選択したデータを認識するステップと、
（ｄ）前記ステップ（ｃ）で認識された処理操作識別子に対応付けられた処理操作を前記識別子記憶手段から抽出し該処理操作を前記ステップ（ｃ）で認識されたデータに実行するステップと
を含むものである。
【手続補正書】
【提出日】平成17年8月25日(2005.8.25)
【手続補正１】
【補正対象書類名】明細書
【補正対象項目名】００２０
【補正方法】変更
【補正の内容】
【００２０】
ビーズの材質としては硬度が十分高いことが求められ、代表的には純度９０％以上のＺｒＯ2やＡｌ2Ｏ3が挙げられる。その充填率は体積基準で５０〜９５％、好ましくは７０〜９０％が良い。低すぎると粉砕速度が遅く、高すぎるとエネルギー効率が悪くなる。ディスクの周速としては８〜１５ｍ／ｓが代表的運転条件である。
【手続補正２】
【補正対象書類名】明細書
【補正対象項目名】００３１
【補正方法】変更
【補正の内容】
【００３１】
分散剤の添加量としては、対シリカ１〜１０質量％の範囲が好ましくは２〜６質量％の範囲が良い。この範囲にすることにより、シリカの微粒子化が促進され、また、インク受容層の強度も維持出来る。
【手続補正書】
【提出日】平成17年1月6日(2005.1.6)
【手続補正１】
【補正対象書類名】特許請求の範囲
【補正対象項目名】全文
【補正方法】変更
【補正の内容】
【特許請求の範囲】
【請求項１】
第１の光源から照射され被検体を透過する光と、第２の光源から照射され被検体で反射される光とを撮像する撮像手段と、該撮像手段で撮像された画像から血管画像を得て個人識別を行う演算手段とを有し、
上記撮像手段は上記第１の光源と第２の光源を切り替えて点灯して上記撮像を行い、上記演算手段は上記第１と第２の光源による撮像画像を用いて上記識別を行うことを特徴とする個人識別装置。
【請求項２】
上記第１の光源は近赤外光源で、上記第２の光源は可視光光源であることを特徴とする請求項１記載の個人識別装置。
【手続補正書】
【提出日】平成16年6月15日(2004.6.15)
【手続補正１】
【補正対象書類名】明細書
【補正対象項目名】０００９
【補正方法】変更
【補正の内容】
【０００９】
そして、エアー入口１にブロワー３吸込側の配管６が接続され、その配管６の途中にフィルター７が配置されている。また、ブロワー３の吐出側の配管９は５ポート電磁弁からなる切替弁８の１ポートに接続されている。そして、切替弁８の他の２ポートには吸着槽４Ａおよび４Ｂの各底部入口側の配管９Ａおよび９Ｂが接続され、さらに他の２ポートにはサイレンサー１０Ａおよび１０Ｂが接続されている。
【手続補正２】
【補正対象書類名】図面
【補正対象項目名】図１
【補正方法】変更
【補正の内容】
【図１】
2004255240.tif 000001
【手続補正書】
【提出日】平成16年5月14日(2004.5.14)
【手続補正１】
【補正対象書類名】手続補正書
【補正対象項目名】手続補正１
【補正方法】変更
【補正の内容】
【手続補正１】
【補正対象書類名】明細書
【補正対象項目名】特許請求の範囲
【補正方法】変更
【補正の内容】
【特許請求の範囲】
【請求項１】
タイヤの付いた車輪（１）の中心に棒の取っ手（２）を装着した一輪車。
【請求項２】
タイヤの付いた車輪（１）の中心に棒の取っ手（２）を装着した一輪車を利用した競技やスポ−ツの方法。
【手続補正書】
【提出日】平成17年8月25日(2005.8.25)
【手続補正１】
【補正対象書類名】明細書
【補正対象項目名】特許請求の範囲
【補正方法】変更
【補正の内容】
【特許請求の範囲】
【請求項１】  支持体上にシリカ粒子と親水性バインダーを含有する少なくとも１層のインク受容層を塗設したインクジェット用記録材料において、該シリカ粒子が、吸油量２１０ｍｌ／１００ｇ以下の湿式法シリカ粒子を水性媒体中でカチオン性化合物の存在下に平均二次粒子径５００ｎｍ以下に粉砕した微粒子であることを特徴とするインクジェット用記録材料。
【請求項２】  前記湿式法シリカを含有するインク受容層の上に気相法シリカまたはアルミナもしくはアルミナ水和物を含有するインク受容層を少なくとも有している請求項１に記載のインクジェット用記録材料。
【手続補正２】
【補正対象書類名】明細書
【補正対象項目名】００３２
【補正方法】変更
【補正の内容】
【００３２】
気相法シリカは、乾式法シリカとも呼ばれ、一般的には火炎加水分解法によって製造される。具体的には四塩化ケイ素を水素及び酸素と共に燃焼して作る方法が一般的に知られており、日本アエロジル（株）からアエロジル、トクヤマ（株）からレオロシールＱＳタイプとして市販されている。
【手続補正書】
【提出日】平成16年6月10日(2004.6.10)
【手続補正１】
【補正対象書類名】明細書
【補正対象項目名】００１７
【補正方法】変更
【補正の内容】
【００１７】
本発明においては、タンパク質の加水分解物による血管の血管拡張の結果、血流が増加し、それによって栄養分の末端組織への移行が改善されると共に老廃物の移行も改善されるものと推定される。その結果、ヒトで肩凝り、頭痛、冷え性の抑制、軽減の目的に使用できる。また、血液循環の改善によって、循環器系のみならず神経系、内分泌系、免疫系の関係する生理機能の改善もはかられ、睡眠障害、更年期障害の抑制および改善を目的に使用できる。また、末梢組織からの炭酸ガス、乳酸その他老廃物を適宜回収し、末梢組織への酸素、栄養成分が十分に供給されることから、疲労回復、さらには皮膚状態の改善、美容効果、育毛効果も得られる。これらの効果についてはヒトでの試験の結果を実施例として示した。
【手続補正２】
【補正対象書類名】明細書
【補正対象項目名】００１８
【補正方法】変更
【補正の内容】
【００１８】
本発明の各種タンパク質加水分解物の使用態様としては、食品添加剤として一般食品に添加したり、健康食品組成物または医薬組成物として用いることができる。また、各種タンパク質の加水分解物の形態は、水溶液、懸濁物、粉末、固体成型物などいずれでもよく、特に限定されない。したがって、幅広い一般食品に添加使用出来るし、健康食品、医薬品としてはカプセル剤、錠剤、粉末剤、顆粒剤、ドリンク剤などとして提供される。その場合に単味成分として使用するのみならず、他の呈味成分、増量剤、安定剤、および生薬、ハーブなどの機能性素材やその機能性成分と混合、併用して用いることができ、また、ビタミン、ミネラルなど栄養成分、食品として許容される素材などと混合、併用して用いることもできる。
【手続補正３】
【補正対象書類名】明細書
【補正対象項目名】００２３
【補正方法】変更
【補正の内容】
【００２３】
（製造例２）
海苔粉末（１０〜５０メッシュ）２ｋｇに水１０リットルを加えて攪拌後、自動粉砕機を用いて室温で１時間磨砕し、遠心分離して海苔抽出物残物と上清液とを分離する。
【手続補正書】
【提出日】平成16年12月8日(2004.12.8)
【手続補正１】
【補正対象書類名】特許請求の範囲
【補正対象項目名】全文
【補正方法】変更
【補正の内容】
【特許請求の範囲】
【請求項１】
基端側に配置されたインフレータの噴出ガスにより先端側が該基端側から遠ざかる方向に膨張するエアバッグであって、
乗員前方の左側において膨張する左半側エアバッグと、
乗員前方の右側において膨張する右半側エアバッグと
を有するエアバッグにおいて、
該左半側エアバッグ及び右半側エアバッグの先端部同士が非連結状となっており、
該エアバッグが膨張した状態において該左半側エアバッグ及び右半側エアバッグの先端部同士の間に、乗員に向って開放する空間部が形成されることを特徴とするエアバッグ。
【請求項２】
請求項１において、該エアバッグが膨張した状態において、左半側エアバッグ及び右半側エアバッグの最先端同士の間隔が１５０〜４５０ｍｍであり、
該最先端から前記空間部の最奥部までの水平方向距離が２８０〜４８０ｍｍであることを特徴とするエアバッグ。
【請求項３】
請求項１又は２において、該左半側エアバッグ及び右半側エアバッグの基端側同士が連なっており、これらの左半側エアバッグ及び右半側エアバッグが共通のインフレータによって膨張することを特徴とするエアバッグ。
【請求項４】
請求項１ないし３のいずれか１項において、該左半側エアバッグと該右半側エアバッグとの対面部分のうち前記膨張方向の途中部分同士が連結されており、
膨張した左半側エアバッグ及び右半側エアバッグの最先端から、連結された該途中部分同士までの水平方向距離が５０〜３００ｍｍであることを特徴とするエアバッグ。
【請求項５】
請求項４において、該左半側エアバッグ及び右半側エアバッグはそれぞれ複数枚のパネルを結合してなるものであり、各パネル同士の結合代が前記途中部分においてバッグ外面に配置されており、
左半側エアバッグ及び右半側エアバッグの対面部分のうち該途中部分に配置された該結合代同士が連結されていることを特徴とするエアバッグ。
【請求項６】
請求項１ないし５のいずれか１項において、該エアバッグの側外方を向いた両側面にそれぞれベントホールが設けられており、該ベントホールは、該側面の中央付近又はそれよりも前方且つ上方の領域に配置されていることを特徴とするエアバッグ。
【請求項７】
請求項１ないし６のいずれか１項のエアバッグと、該エアバッグを膨張させるインフレータとを備えたエアバッグ装置。
【請求項８】
請求項７において、膨張したエアバッグ内の最高ガス圧が４４０ｋＰａ以下であることを特徴とするエアバッグ装置。
【請求項９】
請求項７又は８において、シートに座っている乗員の体重の大小あるいは衝突時の車速の大小にかかわらず、膨張時のエアバッグ内のガス圧が同一となるように構成されていることを特徴とするエアバッグ装置。
【請求項１０】
請求項７ないし９のいずれか１項に記載のエアバッグ装置を搭載してなる車両。
【請求項１１】
請求項１０において、該エアバッグ装置は車両のインストルメントパネルに設置された助手席用エアバッグ装置であり、該エアバッグの側外方を向いた側面にベントホールが設けられており、
該インストルメントパネルの後端からの膨張したエアバッグのベントホールまでの水平方向距離Ｌ２と先端までの水平方向距離Ｌ１との比Ｌ２／Ｌ１が０．２５〜０．５であることを特徴とする車両。
【請求項１２】
請求項１０又は１１において、該エアバッグ装置は車両のインストルメントパネルに設置された助手席用エアバッグ装置であり、該エアバッグの側外方を向いた側面にベントホールが設けられており、
該インストルメントパネルの上端からの膨張したエアバッグのベントホールまでの鉛直方向距離Ｈ２と上端までの鉛直方向距離Ｈ１との比Ｈ２／Ｈ１が０．３〜０．５であることを特徴とする車両。
【請求項１３】
請求項１０ないし１２のいずれか１項において、該車両には、さらに他の種類のエアバッグ装置として、カーテンエアバッグ装置、ニーバッグ装置、ニープロテクタ、サイドエアバッグ装置及びシートクッションバッグ装置の少なくとも１つが搭載されていることを特徴とする車両。
【手続補正２】
【補正対象書類名】明細書
【補正対象項目名】００２１
【補正方法】変更
【補正の内容】
【００２１】
請求項８のエアバッグ装置は、請求項７において、膨張したエアバッグ内の最高ガス圧が４４０ｋＰａ以下であることを特徴とするものである。請求項９のエアバッグ装置は、請求項７又は８において、シートに座っている乗員の体重の大小あるいは衝突時の車速の大小にかかわらず、膨張時のエアバッグ内のガス圧が同一となるように構成されていることを特徴とするものである。
【手続補正３】
【補正対象書類名】明細書
【補正対象項目名】００２２
【補正方法】変更
【補正の内容】
【００２２】
本発明（請求項１０）の車両は、請求項７ないし９のいずれか１項に記載のエアバッグ装置を搭載してなるものである。
【手続補正４】
【補正対象書類名】明細書
【補正対象項目名】００２３
【補正方法】変更
【補正の内容】
【００２３】
請求項１１の車両は、請求項１０において、該エアバッグ装置は車両のインストルメントパネルに設置された助手席用エアバッグ装置であり、該エアバッグの側外方を向いた側面にベントホールが設けられており、該インストルメントパネルの後端からの膨張したエアバッグのベントホールまでの水平方向距離Ｌ２と先端までの水平方向距離Ｌ１との比Ｌ２／Ｌ１が０．２５〜０．５であることを特徴とするものである。
【手続補正５】
【補正対象書類名】明細書
【補正対象項目名】００２４
【補正方法】変更
【補正の内容】
【００２４】
請求項１２の車両は、請求項１０又は１１において、該エアバッグ装置は車両のインストルメントパネルに設置された助手席用エアバッグ装置であり、該エアバッグの側外方を向いた側面にベントホールが設けられており、該インストルメントパネルの上端からの膨張したエアバッグのベントホールまでの鉛直方向距離Ｈ２と上端までの鉛直方向距離Ｈ１との比Ｈ２／Ｈ１が０．３〜０．５であることを特徴とするものである。
【手続補正書】
【提出日】平成17年1月13日(2005.1.13)
【手続補正１】
【補正対象書類名】明細書
【補正対象項目名】００１５
【補正方法】変更
【補正の内容】
【００１５】
ソーピング
次に、合成繊維織物は、ソーピング工程で、例えば、１０９７ｍ／ピース（１２００ヤード／ピース）の速度で処理されて織物上の不純物および加工剤を除去される。ソーピング条件には、４℃〜１２０℃のソーピング温度および２０〜１２０メートル／分の速度が挙げられるが、それらに限定されない。
【手続補正２】
【補正対象書類名】明細書
【補正対象項目名】００２１
【補正方法】変更
【補正の内容】
【００２１】
４１１．５±４５．７ｍ／ピース（４５０±５０ヤード／ピース）のグレージュに対して、スカーリング（scouring）液の温度が約９０±５℃であり、速度が５０±１０メートル／分であるスカーリング処理を行う。スカーリング処理後、グレージュをプレセット機に運んで８０±５メートル／分の速度および約２００±５℃の温度で織物を形成する。透明なプリント用顕色剤の量が中で透明なプリント用顕色剤およびペーストの合計を基準にして３〜１５質量（重量）％である透明なプリント用顕色剤、水酸化テトラアルキルアンモニウム（ＮＲ4ＯＨ）を含有するプリント用ペーストを、１５±５メートル／分の速度でローラ・プリンティング機または自動スクリーン・プリンティング機の中で織物上にプリントする。次に、織物を１１０±１０℃の温度で乾燥し、１６０℃±２０℃の温度で定着させる。織物に対して、更に、３０±１０メートル／分の速度、１００±１５℃の温度で、１５〜３５Ｂｅの濃度におけるエッチング剤（水酸化ナトリウム）を有するタンク中においてエッチング処理を行って、半透明のパターンをその上に有するプリント性織物を形成する。１００℃±２０℃の温度および５０±１０メートル／分の速度において、４１１．５±４５．７ｍ／ピース（４５０±５０ヤード／ピース）でソーピング処理する。次に、染色補助剤を含む染料により１００℃±３０℃の温度で織物を染色する。撥水剤を含有するタンクに織物を配送して撥水化処理を行う。次に、織物を４５±５メートル／分の速度、８０ｍｍの高さ、０．９５ｍｍの角度、１２０℃の温度で防水処理機に配送して、防水加工処理を行う。次に、織物を１６時間にわたり保存して架橋を達成する。織物を１３０℃の温度、６６インチの幅、および６０±１０メートル／分の速度下で最終セットにかけて、最終製品を得る。
【手続補正書】
【提出日】平成17年10月19日(2005.10.19)
【手続補正１】
【補正対象書類名】明細書
【補正対象項目名】特許請求の範囲
【補正方法】変更
【補正の内容】
【特許請求の範囲】
【特許請求の範囲】
【請求項１】
表面に濡れ性付与剤を付着せしめたポリアミド系短繊維であることを特徴とする法面緑化用補強繊維。
【請求項２】
濡れ性付与剤が、潤滑剤及び界面活性剤を含んでいることを特徴とする請求項１に記載の法面緑化用補強繊維。
【請求項３】
潤滑剤が、1価アルコールと1価カルボン酸とのエステルであることを特徴とする請求項２に記載の法面緑化用補強繊維。
【請求項４】
界面活性剤が、非イオン系界面活性剤であることを特徴とする請求項２又は３に記載の法面緑化用補強繊維。
【請求項５】
濡れ性付与剤１０重量部には、２〜９重量部の潤滑剤と０．５〜８重量部の界面活性剤とが含まれていることを特徴とする請求項１〜４のいずれかに記載の法面緑化用補強繊維。
【請求項６】
法面緑化用補強繊維の表面には、前記補強繊維重量の０．８〜１．６重量％の濡れ性付与剤が付着されていることを特徴とする請求項１〜５のいずれかに記載の法面緑化用補強繊維。
【請求項７】
濡れ性付与剤の水中脱落率が、付着させた濡れ性付与剤量の７５重量％以上であることを特徴とする請求項１〜６のいずれかに記載の法面緑化用補強繊維。
【請求項８】
単糸繊度が１〜５０ｄｔｅｘ、平均繊維長が５〜５０ｍｍであることを特徴とする請求項１〜７のいずれかに記載の法面緑化用補強繊維。
【請求項９】
伸度が１５〜７０％であることを特徴とする請求項１〜８のいずれかに記載の法面緑化用補強繊維。
【請求項１０】
引張強度が少なくとも３ｃＮ／ｄｔｅｘであることを特徴とする請求項１〜９のいずれかに記載の法面緑化用補強繊維。
【請求項１１】
ポリアミド系短繊維が、２５ｍｍ当たり１０山を超えない捲縮を付与された捲縮繊維であることを特徴とする請求項１〜１０のいずれかに記載の法面緑化用補強繊維。
【請求項１２】
表面が、請求項１〜１１のいずれかに記載の法面緑化用補強繊維を含有する植生土壌に覆われて形成されていることを特徴とする繊維補強緑化法面。
【請求項１３】
植生土壌に含まれる法面緑化用補強繊維の量が、植生土壌１ｍ３当たり１００〜２，０００ｇであることを特徴とする請求項１２に記載の繊維補強緑化法面。
【請求項１４】
法面緑化用補強繊維を含有する植生土壌を用いて形成されている表面部分の厚さが、５〜１００ｍｍであることを特徴とする請求項１２または１３に記載の繊維補強緑化法面。
【請求項１５】
請求項１〜１１のいずれかに記載の法面緑化用補強繊維を植生土壌に混合して法面を形成することを特徴とする繊維補強緑化法面施工方法。
【手続補正書】
【提出日】平成17年6月17日(2005.6.17)
【手続補正１】
【補正対象書類名】明細書
【補正対象項目名】特許請求の範囲
【補正方法】変更
【補正の内容】
【特許請求の範囲】
【請求項１】
駆動力発生体が回転扉の回転軸に駆動力を与えて前記回転扉を閉じるドアクローザシステムにおいて、前記回転扉の開要求を検知する開要求センサと、前記回転扉と連結しその回転軸に駆動力を与える回転駆動部と、少なくとも前記開要求センサによる開要求の検知から所定条件の発生まで、前記回転扉と前記回転駆動部との連結を解放する駆動制御部とを備えることを特徴とするドアクローザシステム。
【請求項２】
請求項１において、前記所定条件の発生は、前記開要求センサによる開要求検知の消滅の発生、またはこの検知消滅と所定時限到達との両方の発生であることを特徴とするドアクローザシステム。
【請求項３】
請求項１において、前記回転扉と前記回転駆動部とを連結し解放する機構に電磁クラッチを用いることを特徴とするドアクローザシステム。
【請求項４】
請求項１において、前記回転駆動部は、前記回転扉の回転軸を直接回転駆動させる回転軸駆動装置であることを特徴とするドアクローザシステム。
【請求項５】
請求項４に記載の構成をフロアヒンジに含むことを特徴とするドアクローザシステム。
【請求項６】
駆動力発生体が回転扉の回転軸に駆動力を与えて前記回転扉を閉じるドアクローザシステムにおいて、前記回転扉と連結してその回転軸に駆動力を与える回転駆動部と、前記駆動力発生体に回転扉への閉扉駆動力を付与するモータ機構と、前記回転駆動部の駆動軸と前記駆動力発生体との間を連結する駆動軸クラッチと、前記駆動力発生体と前記モータ機構との間を連結するモータクラッチと、前記回転扉の開要求を検知する開要求センサと、電源供給を受けた際に前記回転扉を閉じて係止すると共に前記駆動軸クラッチの連結を解放し、前記開要求センサの開要求を検知した際には、前記係止を解放して前記回転駆動部の運動を自在にする一方、前記モータ機構の運転を開始すると共に前記モータクラッチを連結にして前記駆動力発生体を回転扉が開いた状態に適用できるように駆動し、更に前記開要求センサの開要求検知が消滅の際には、前記モータ機構の運転を停止すると共に前記モータクラッチの連結を解放して前記駆動力発生体から前記モータ機構を切り離す一方、前記駆動軸クラッチを連結にして前記駆動力発生体の駆動力を前記回転駆動部に伝達し前記回転扉を閉じる方向に押圧力を働かせる駆動制御部とを備えることを特徴とするドアクローザシステム。
【請求項７】
請求項６において、前記駆動力発生体で前記回転扉が最も開いた時点での限度状態を検知する限度センサを更に備え、前記駆動制御部は、前記モータ機構の運転を開始し前記モータクラッチを連結にして前記駆動力発生体を駆動する場合、前記限度センサが限度状態を検知した際に前記モータ機構の運転を停止して前記開要求センサの検知消滅を監視し、前記開要求センサの検知消滅の際には前記モータクラッチの連結を解放すると共に前記駆動軸クラッチを連結にして前記駆動力発生体の駆動力を前記回転駆動部に伝達し前記回転扉を閉じる方向に押圧力を働かせることを特徴とするドアクローザシステム。
【請求項８】
請求項７において、前記回転扉が閉じていることを検知する閉扉センサを更に設け、前記駆動制御部は、電源の供給を受けた際に前記閉扉センサの検知が消滅している場合、前記モータ機構の運転を開始し前記モータクラッチを連結にして前記限度センサが限度状態を検知するまで前記駆動力発生体を駆動して閉扉のための前記駆動力を付与することを特徴とするドアクローザシステム。
【請求項９】
請求項１または６において、前記駆動制御部は、前記開要求センサが開要求を検知した際に起動し、一定の時限経過後まで開要求センサの検知消滅状態を無視するタイマを更に備えることを特徴とするドアクローザシステム。
【請求項１０】
請求項１または６において、前記回転扉と扉枠との間を直結してその回転扉の開閉に応じて開閉するアームを備え、前記回転駆動部は前記アームの一端に固定されその回転に応じて前記アームを開閉する駆動回転軸であることを特徴とするドアクローザシステム。
【請求項１１】
請求項１または６において、前記回転駆動部は、前記回転扉の回転軸と直結し、前記回転軸の回転に応じて回転扉を開閉し、伝達される駆動力により前記回転扉を閉じる方向に動かすことを特徴とするドアクローザシステム。
【請求項１２】
請求項１または６において、前記開要求センサは、前記回転扉の取っ手に人体が触れた際、人体が前記回転扉に近接した際、および前記回転扉の取っ手が回転された際の少なくとも一つを検知し前記回転扉の開要求として出力することを特徴とするドアクローザシステム。
【手続補正２】
【補正対象書類名】明細書
【補正対象項目名】００１１
【補正方法】変更
【補正の内容】
【００１１】
【課題を解決するための手段】
本発明によるドアクローザシステムは、回転扉の回転軸に駆動力を与えて回転扉を閉じる駆動力発生体を備えるにも拘わらず、力を殆ど加えることなしに回転扉を開閉できることを目的とする。このため、ドアクローザシステムは、前記回転扉の開要求を検知する開要求センサと、回転扉と連結しその回転軸に駆動力を与える回転駆動部と、少なくとも前記開要求センサによる開要求の検知から所定条件の発生まで、前記回転扉と前記回転駆動部との連結を解放する駆動制御部とを備えている。
【手続補正書】
【提出日】平成16年10月21日(2004.10.21)
【手続補正１】
【補正対象書類名】特許請求の範囲
【補正対象項目名】請求項２２
【補正方法】変更
【補正の内容】
【請求項２２】
歯ブラシ、ブラシ及び剃刀の範囲から選択される少なくとも１つの道具を前記パック又はキット内に含ませる手段を含むことを特徴とする、請求項２１に記載の装置。
【手続補正２】
【補正対象書類名】明細書
【補正対象項目名】００１６
【補正方法】変更
【補正の内容】
【００１６】
ゲル化剤は、約３〜約５重量％の濃度のゼラチンを含むのが好ましい。ゲル化剤は、約０．１〜約２重量％の濃度、より正確には約０．４〜約１．１重量％の寒天を含むのがより好ましい。
【手続補正３】
【補正対象書類名】明細書
【補正対象項目名】００６５
【補正方法】変更
【補正の内容】
【００６５】
製造
１．ゼラチン、グリセリン、テキサポンＯＣ−Ｎ、シンセコルＣＡＢ、塩及びサッカリンナトリウムをジャケット付き容器に加え、混合する。
２．熱水を加え、温度を保ちつつ混合する。
３．リン酸水素カルシウム二水和物及びフルオロリン酸ナトリウムを加え、滑らかな白色の液体になるまで混合する。
４．混ぜながら温度を約６５℃まで下げる。
５．ペパーミントオイルにメントールを溶かす。（又は、選択に応じて香味／色の選択肢（ｂ）及び（ｃ））
６．温度が５０℃未満になったら、選択された香味／色の混合物及びクエン酸二水素ナトリウムを加え、混合する。
７．混合物をポンプで、冷却された６．５ｍｍのＩＤ管（ID pipe）を通してコンベアベ
ルトに送り、約１０ｍｍの長さに切断する。（２００個）
８．各ビードにコーンフラワーを軽くまぶす。
９．気密性の容器に詰める。
ビードは不透明の円柱状であり、白色か、又は色素を加えた場合にはパステルカラーであった。
【手続補正４】
【補正対象書類名】明細書
【補正対象項目名】００７６
【補正方法】変更
【補正の内容】
【００７６】
このバージョンは、各々が約０．２５ｇの重量の個々のビードに加圧成形されてもよい、乾燥した完全に固体の均質な錠剤を提供する。ポリエチレングリコールは、固形ワックス状の溶媒のように作用するが、それ自体は水溶性である（既に経口使用が許可されている）。オプションとして、錠剤を湿らせた際にクエン酸と反応することによってガス発生効果を与えるために、炭酸水素ナトリウム等のガス発生基体を含ませてもよい。この選択肢は、例えば軍用の歯磨き用パックの重量を最小限にする。
【手続補正５】
【補正対象書類名】明細書
【補正対象項目名】００７７
【補正方法】変更
【補正の内容】
【００７７】
例５  寒天
寒天は、より良好な温度特性、溶融と凝固との間の顕著なヒステリシス、低い離漿、及び、動物由来でないことを含む、ゲル化剤としてゼラチンを大きく凌ぐ長所を提供する。歯磨剤組成物に複数の試験濃度の寒天を用いたところ、何も悪い反応は生じないことを示した。上述した例１〜例３のゼラチンを寒天に置き換えることも可能であろう。
【表５】
2004244419.tif 000001
【手続補正６】
【補正対象書類名】明細書
【補正対象項目名】００８１
【補正方法】変更
【補正の内容】
【００８１】
製造
１．寒天、グリセリン、テキサポンＯＣ−Ｎ（保湿剤）、シンセコルＣＡＢ、塩及びサッカリンナトリウムをジャケット付き容器に加え、混合する。
２．適量の沸騰水を加え、寒天を完全に溶かすために温度を９５〜１００℃に上げながら混合する。
３．リン酸水素カルシウム二水和物及びフルオロリン酸ナトリウムを加え、滑らかな白色の液体になるまで混合する。
４．混ぜながら温度を約６５℃まで下げる。
５．ペパーミントオイルにメントールを溶かす。
６．温度が約５０℃未満になったら、メントール／ペパーミントオイル混合物及びクエン酸を加え、混合する。
７．混合物をポンプで、冷却された６．５ｍｍのＩＤ管を通してコンベアベルト上に送り、約１０ｍｍの長さに切断する（２００個）。（この混合物は約３５〜４０℃で凝固する。）
８．気密性の容器に詰める。
【手続補正７】
【補正対象書類名】明細書
【補正対象項目名】００９４
【補正方法】変更
【補正の内容】
【００９４】
製造工程
１．水、グリセロール及びホウ砂をジャケット付き容器内で９５℃まで加熱する。
２．寒天を加え、次に、ラウリル硫酸ナトリウム及びコカアミドを加える。
３．水酸化物の低温水溶液を調製して加える。
４．均質になるまで８０℃で撹拌する。
５．ステアリン酸、「アイソクリーム」及びオレイルアルコールの溶融物を調製する。
６．混合して８５℃で撹拌する。
７．冷却して、バルク販売又はブリスターパックに入れて販売され得る均質なビードとして押し出し成型するか、又は、高温の混合物をブリスターに流し込む（例１０参照）。
【手続補正書】
【提出日】平成17年9月9日(2005.9.9)
【手続補正１】
【補正対象書類名】明細書
【補正対象項目名】特許請求の範囲
【補正方法】変更
【補正の内容】
【特許請求の範囲】
【請求項１】  イットリア焼結体を加工した後に塩酸、塩酸過水、硝酸から選ばれる１種以上の酸水溶液により表面酸エッチングされたイットリア焼結体からなることを特徴とする耐食性部材。
【請求項２】  請求項１に記載の耐食性部材において、加工時に生じる算術平均粗さＲａ５．０ミクロン未満の面粗さを算術平均粗さＲａ０．８ミクロン未満の面粗さにしたことを特徴とする耐食性部材。
【請求項３】  請求項１に記載の耐食性部材において、欠けや粒子脱落が生じた表面は、微細な凹凸に表面酸エッチングされたイットリア焼結体からなることを特徴とする耐食性部材。
【請求項４】  加工時算術平均粗さ５．０ミクロン未満面粗さが生じたイットリア焼結体を塩酸、塩酸過水、硝酸から選ばれる１種以上の酸水溶液により表面エッチングし、その表面を算術平均粗さＲａ０．８ミクロン未満にすることを特徴とする耐食性部材の製造方法。
【請求項５】  加工時欠けや粒子脱落が生じた表面を有するイットリア焼結体を塩酸、塩酸過水、硝酸から選ばれる１種以上の酸水溶液により表面エッチングし、その表面に微細な凹凸を形成することを特徴とする耐食性部材の製造方法。
【手続補正２】
【補正対象書類名】明細書
【補正対象項目名】００１１
【補正方法】変更
【補正の内容】
【００１１】
【課題を解決するための手段】
上記目的を達成するため、本発明の１つの態様によれば、イットリア焼結体を加工した後に塩酸、塩酸過水、硝酸から選ばれる１種以上の酸水溶液により表面酸エッチングされたイットリア焼結体からなることを特徴とする耐食性部材が提供される。これにより、加工時生じた欠けや粒子脱落の除去のために後加工を必要とせず、かつエッチング時間を短縮して製造されるイットリア焼結体あるいは欠けた部分や粒子脱落跡を時間が短縮されたエッチングにより微細な凹凸に形成されるように耐食性部材が実現される。
【手続補正３】
【補正対象書類名】明細書
【補正対象項目名】００１４
【補正方法】変更
【補正の内容】
【００１４】
本発明の他の態様によれば、加工時算術平均粗さ５．０ミクロン未満面粗さが生じたイットリア焼結体を塩酸、塩酸過水、硝酸から選ばれる１種以上の酸水溶液により表面エッチングし、その表面を算術平均粗さＲａ０．８ミクロン未満にすることを特徴とする耐食性部材の製造方法が提供される。これにより、破壊靭性値が小いさく、加工時に欠けや粒子脱落が発生し易いイットリアであっても、低コストで加工面荒れを円滑化することができる。
【手続補正４】
【補正対象書類名】明細書
【補正対象項目名】００１５
【補正方法】変更
【補正の内容】
【００１５】
また、本発明の他の態様によれば、欠けや粒子脱落が生じた表面を有するイットリア焼結体を塩酸、塩酸過水、硝酸から選ばれる１種以上の酸水溶液により表面エッチングし、その表面に微細な凹凸を形成することを特徴とする耐食性部材の製造方法が提供される。これにより、破壊靭性値が小いさく、加工時に欠けや粒子脱落が発生し易いイットリアであっても、低コストで加工面荒れを修復することができる。
【手続補正５】
【補正対象書類名】明細書
【補正対象項目名】００１８
【補正方法】変更
【補正の内容】
【００１８】
すなわち、本発明に係わるイットリア焼結体は、イットリア焼結体を加工した後に塩酸、塩酸過水、硝酸から選ばれる１種以上の酸水溶液に浸漬せしめ、イットリア焼結体の表面をエッチングして製造される。
【手続補正６】
【補正対象書類名】明細書
【補正対象項目名】００２４
【補正方法】変更
【補正の内容】
【００２４】
図２に示すように、イットリア焼結体１Ａは、欠けや粒子脱落が生じた表面をもったイットリア焼結体を、塩酸、塩酸過水、硝酸から選ばれる１種以上の酸水溶液に浸漬せしめ、その表面２Ａを表面エッチングして表面２Ａに微細な凹凸を形成して製造される。
【手続補正７】
【補正対象書類名】明細書
【補正対象項目名】００３０
【補正方法】変更
【補正の内容】
【００３０】
結果：観察結果を表１に示す。
【表１】
2004244294.tif 000001
【手続補正８】
【補正対象書類名】明細書
【補正対象項目名】００３１
【補正方法】変更
【補正の内容】
【００３１】
表１からもわかるように、いずれの酸を用いた場合にも、面粗さをＲａ０．８ミクロン未満にできることがわかった。また、硝酸、塩酸、塩酸過水の順でエッチングが速いこともわかった。
【手続補正書】
【提出日】平成16年5月11日(2004.5.11)
【手続補正１】
【補正対象書類名】明細書
【補正対象項目名】００５０
【補正方法】変更
【補正の内容】
【００５０】
比較例３
実施例４の感熱記録層用塗液の調製において、アジピン酸ジヒドラジドの５％水溶液４部の代わりに水３部を用いた以外は、実施例１と同様にして感熱記録体を得た。
【手続補正書】
【提出日】平成16年7月1日(2004.7.1)
【手続補正１】
【補正対象書類名】明細書
【補正対象項目名】特許請求の範囲
【補正方法】変更
【補正の内容】
【特許請求の範囲】
【請求項１】
インクジェットプリントヘッドの作動方法において、
上記プリントヘッドのインクジェットオリフィスを、該オリフィスに相対して可動であるレシーバ部材から、５００マイクロメートル未満の所定の間隔をおいて配置して、所定の間隔にあるオリフィスに対してレシーバ部材の異なる部分を提供し、
上記プリントヘッドに対して、該プリントヘッドにプリント液の飛沫を生成させるのに適し、また、その形状，振幅及び／又は周波数が、３０ピコリットル（picoliters）未満の体積を有する球状の液体飛沫を生成するのに適した電気駆動信号を与え、
上記オリフィスとレシーバ部材との間で、遊離した球状のプリント液の液体飛沫であって、１．０−１．１グラム毎立方センチメートル（grams/cc）の濃度，３２−３６ダイン毎センチメートル（dynes/cm）の範囲にある表面張力、および、２−６センチポイズ（cP）の範囲にある粘度を有するプリント液からなる液体飛沫を形成し、
上記レシーバ部材上に上記液体飛沫を付与する、ことを特徴とするインクジェットプリントヘッドの作動方法。
【請求項２】
上記所定の間隔が、５０マイクロメートルから５００マイクロメートル未満の範囲にあることを特徴とする請求項１記載のインクジェットプリントヘッドの作動方法。
【請求項３】
上記レシーバ部材が印刷用プレートであり、該印刷用プレート上に配置される液体飛沫が、インクを選択式に引き寄せるために用いられ、該インクが最終的なレシーバシート上にプリントされることを特徴とする請求項１又は２に記載のインクジェットプリントヘッドの作動方法。